(57)【要約】【課題】筒状部材に固定された第３永久磁石と筒状部材の内部を移動する第１永久磁石とを備える振動発電機においても、発電量が減少することを抑え、かつ第３永久磁石の着磁方向が反転することを抑えることができる振動発電機を提供すること。【解決手段】非磁性材料から形成される筒状部材と、筒状部材に設けられたコイルと、コイルの内部を往復移動する第１永久磁石と、この第１永久磁石の少なくとも筒状部材の長手方向の一端側に第１永久磁石と同極が対向されて固定される第２永久磁石とを有する可動子と、第１永久磁石に対し第２永久磁石が配置される側の筒状部材の端部に配置され、第２永久磁石の着磁方向と反対方向に着磁された第３永久磁石と、を備え、第２永久磁石の磁力は、第１永久磁石の磁力よりも弱いこと。【選択図】        図１
2012205450.tif 000002
【特許請求の範囲】
【請求項１】
非磁性材料から形成される筒状部材と、
前記筒状部材に設けられたコイルと、
前記コイルの内部を往復移動する第１永久磁石と、この第１永久磁石の少なくとも前記筒状部材の長手方向の一端側に前記第１永久磁石と同極が対向されて固定される第２永久磁石とを有する可動子と、
前記第１永久磁石に対し第２永久磁石が配置される側の前記筒状部材の端部に配置され、前記第２永久磁石の着磁方向と反対方向に着磁された第３永久磁石と、
を備え、
前記第２永久磁石の磁力は、前記第１永久磁石の磁力よりも弱いこと
を特徴とする振動発電機。
【請求項２】
前記長手方向における前記第２永久磁石の長さは、前記長手方向における前記第１永久磁石の長さよりも短いことを特徴とする請求項１に記載の振動発電機。
【請求項３】
前記第３永久磁石の外径は、第２永久磁石の外径よりも小さいことを
特徴とする請求項１または２に記載の振動発電機。
【発明の詳細な説明】
【技術分野】
【０００１】
本発明は、永久磁石がコイルの内部を一方向に往復移動することにより発生する電流から電力を得る振動発電機に関するものである。
【背景技術】
【０００２】
従来より、永久磁石がコイルの内部を一方向に往復移動することにより発生する電流から電力を得る電磁誘導型の振動発電機が特許文献１などにより知られている。この文献に記載の振動発電機は、揺動永久磁石、固定永久磁石、および外周にコイルが巻回されたケースを備える。固定永久磁石は、ケースの両端に配置される。この両端に配置された固定永久磁石は、ケースの内部を一方向に往復移動する揺動永久磁石と同極が対向するように配置される。この配置により、斥力が揺動永久磁石に作用する。揺動永久磁石が、固定永久磁石に近接すると、斥力により他方の固定永久磁石側へ跳ね返される。この跳ね返しにより、揺動永久磁石の動作がスムーズになり、起電力が増加する。
【先行技術文献】
【特許文献】
【０００３】
【特許文献１】特開２００２−２８１７２７号公報
【発明の概要】
【発明が解決しようとする課題】
【０００４】
揺動永久磁石に作用する斥力が強い場合には、揺動永久磁石が斥力により移動範囲が減少して、起電力が小さくなる。起電力が小さくなると、発電量が減少する。これに対し、斥力を弱くするために、磁力が弱い永久磁石が揺動永久磁石に用いられることが考えられる。しかし、磁力が弱い永久磁石が揺動永久磁石に用いられると、コイルを横切る磁束密度が減少する。この結果、発電量が減少する。すなわち、磁力が強い永久磁石が揺動永久磁石に用いられることが好ましい。
【０００５】
これに対し、斥力を弱くするために、磁力が弱い永久磁石が固定永久磁石に用いられることが考えられる。一般に、磁力が弱い永久磁石の着磁方向が、外部からの磁力により反転されやすい。すなわち、磁力が弱い永久磁石を固定永久磁石として用いると、揺動永久磁石からの磁力により、固定永久磁石の着磁方向が反転する可能性がある。固定永久磁石の着磁方向が反転すると、引力が揺動永久磁石と固定永久磁石との間に発生し、揺動永久磁石と固定永久磁石とが磁着する。この磁着の結果、揺動永久磁石はコイルの内部を移動し難くなり、発電量が減少する。
【０００６】
本発明は、上述した問題点を解決するためになされたものであり、筒状部材に固定された第３永久磁石と筒状部材の内部を移動する第１永久磁石とを備える振動発電機においても、発電量が減少することを抑え、かつ第３永久磁石の着磁方向が反転することを抑えることができる振動発電機を提供することを目的とする。
【課題を解決するための手段】
【０００７】
上記目的を達成するために、請求項１記載の本発明は、非磁性材料から形成される筒状部材と、前記筒状部材に設けられたコイルと、前記コイルの内部を往復移動する第１永久磁石と、この第１永久磁石の少なくとも前記筒状部材の長手方向の一端側に前記第１永久磁石と同極が対向されて固定される第２永久磁石とを有する可動子と、前記第１永久磁石に対し第２永久磁石が配置される側の前記筒状部材の端部に配置され、前記第２永久磁石の着磁方向と反対方向に着磁された第３永久磁石と、を備え、前記第２永久磁石の磁力は、前記第１永久磁石の磁力よりも弱いことを特徴とするものである。
【０００８】
上記目的を達成するために、請求項２記載の本発明は、請求項１に記載の振動発電機において、前記長手方向における前記第２永久磁石の長さは、前記長手方向における前記第１永久磁石の長さよりも短いことを特徴とするものである。
【０００９】
上記目的を達成するために、請求項３記載の本発明は、請求項１または２に記載の振動発電機において、前記第３永久磁石の外径は、第２永久磁石の外径よりも小さいことを特徴とするものである。
【発明の効果】
【００１０】
請求項１に記載の振動発電機によれば、第１永久磁石と同極が対向する第２永久磁石の磁力は第１永久磁石の磁力よりも弱い。第２永久磁石が、第１永久磁石および第３永久磁石と同極がそれぞれ対向するように、第１永久磁石と第３永久磁石との間に配置される。これにより、第１永久磁石の磁束は長手方向と交差する方向に向くとともに、第２永久磁石を有する可動子と第３永久磁石との間の斥力が、第２永久磁石を有しない可動子と第３永久磁石との間の斥力より小さくなるので、第１永久磁石を備える可動子が斥力により移動し難くなることが抑えられる。従って、コイルに発生する起電力が小さくなることを抑えることが出来る。また、第１永久磁石の磁束は長手方向と交差する方向に向くとともに、第２永久磁石の磁力が第１永久磁石の磁力より弱いので、第３永久磁石の着磁方向が反転することを抑えることができる。
【００１１】
請求項２に記載の振動発電機によれば、長手方向において、第２永久磁石の長さは、第１永久磁石の長さよりも短い。これにより、長手方向に一定の長さを有する円筒部材の内部の第１永久磁石の可動領域が広くなる。従って、発電量が増加する
【００１２】
請求項３に記載の振動発電機によれば、第３永久磁石の外径は、第２永久磁石の外径よりも小さい。これにより、第２永久磁石の径方向の端部から第３永久磁石の径方向の端部までの領域において磁束密度が疎になる。これにより、第１永久磁石、および第２永久磁石を有する可動子の移動が長手方向に垂直な方向に対して安定する。従って、発電量が減少することが抑えられる。
【図面の簡単な説明】
【００１３】
【図１】本発明の一実施形態に係る振動発電機１の長手方向に沿って切断した概略断面図である。
【図２】第１シミュレーションの構成における磁束分布を示す説明図である。
【図３】第２シミュレーションの構成における磁束分布を示す説明図である。
【図４】第３シミュレーションの構成における磁束分布を示す説明図である。
【図５】第４シミュレーションの構成における磁束分布を示す説明図である。
【発明を実施するための形態】
【００１４】
（実施形態）
本発明の実施形態について、図１を参照して説明する。図１は振動発電機１の長手方向Ｄ１に沿って切断した概略断面図である。図１に示すように、振動発電機１は、円筒部材１０と、コイルユニット２０と、可動子３０と、第３永久磁石４０、４１と、筐体５０とを備える。
【００１５】
中空形状、且つ円筒形状の円筒部材１０は、ＡＢＳ、ＰＯＭ、ＰＣ、ＬＣＰ、アルミナなどの非磁性材料から形成される。コイルユニット２０は、３つのコイル２０Ａ、２０Ｂ、２０Ｃを備える。コイルユニット２０が、円筒部材１０の外周面に備えられる。コイル２０Ａ、２０Ｂ、２０Ｃを形成する導線が、隣り合うコイル２０Ａ、２０Ｂ、２０Ｃに対して互いに巻回方向が逆方向になるように巻回される。この導線は、絶縁性材料からなる材料により被覆される。
【００１６】
可動子３０は、円筒部材１０の内部に配置される。この配置状態において、可動子３０は円筒部材１０の長手方向Ｄ１に沿って移動可能である。可動子３０は、コイルユニット２０の内部を移動する。
【００１７】
可動子３０は、１つの第１永久磁石３１と２つの第２永久磁石３２、３３と締結部材３４とを備える。中空形状、且つ円筒形状の第１永久磁石３１、および第２永久磁石３２、３３が、締結部材３４によりかしめ固定される。この固定状態では、締結部材３４は、第１永久磁石３１、および第２永久磁石３２、３３に挿通される。第１永久磁石３１は第２永久磁石３２、３３と同極が対向するように固定される。可動子３０が円筒部材１０の内部に配置された状態では、第１永久磁石３１、および第２永久磁石３２、３３の着磁方向は長手方向Ｄ１に向く。第１永久磁石３１、および第２永久磁石３２、３３の同極が対向する状態では、斥力が第１永久磁石３１、および第２永久磁石３２、３３の各々に働く。締結部材３４は、この斥力が第１永久磁石３１、および第２永久磁石３２、３３の各々に働いている状態において、第１永久磁石３１、および第２永久磁石３２、３３を締結する。同極が対向するように第１永久磁石３１、および第２永久磁石３２、３３が配置されると、第１永久磁石３１、および第２永久磁石３２、３３の各々の磁束が長手方向Ｄ１に対して交差する方向に向くので、コイルユニット２０を横切る磁束密度が増加する。
【００１８】
第１永久磁石３１、および第２永久磁石３２、３３は、同じネオジム系の永久磁石から構成される。締結部材３４はオーステナイト系ステンレス材料、アルミ合金材料、真鍮などの非磁性材料から形成される。
【００１９】
長手方向Ｄ１において、第２永久磁石３２、３３の長さＬ２は、第１永久磁石３１の長さＬ１よりも短い。この長さの違いにより、第２永久磁石３２、３３の磁力は、第１永久磁石３１の磁力よりも弱い。
【００２０】
第３永久磁石４０が、封止部１３の片面の中心に接着剤による接着などの周知の方法で固定される。第３永久磁石４１が、封止部１４の片面の中心に同様な周知の方法で固定される。第３永久磁石４０が円筒部材１０の内部に位置するように、封止部１３が円筒部材１０の端部１１に配置される。第３永久磁石４１が円筒部材１０の内部に位置するように、封止部１４が円筒部材１０の端部１２に配置される。第３永久磁石４０は、その着磁方向が第２永久磁石３２の着磁方向と反対方向になるように配置される。第３永久磁石４１は、その着磁方向が第２永久磁石３３の着磁方向と反対方向になるように配置される。封止部１３、１４はＡＢＳ、ＰＯＭ、ＰＣ、ＬＣＰ、アルミナなどの非磁性材料から形成される。第３永久磁石４０、４１は、第１永久磁石３１、および第２永久磁石３２、３３と同じネオジム系の永久磁石から構成される。
【００２１】
筐体５０が、円筒部材１０及びコイルユニット２０の外側に円筒部材１０と長手方向Ｄ１を一致させて配置される。筐体５０は、ＡＢＳ、ＰＯＭ、ＰＣ、ＬＣＰ、アルミナなどの非磁性材料から形成される。
【００２２】
可動子３０に備えられる第１永久磁石３１の磁束は、磁性材料からなる筐体５０に引き寄せられる。コイルユニット２０が円筒部材１０の外周面に配置されるので、コイルユニット２０を横切る磁束密度は増加する。従って、筐体５０がコイルユニット２０の外側に配置されることにより、発電量が増加する。また、第１永久磁石３１、第２永久磁石３２、３３、および第３永久磁石４０、４１の磁力がシールドとして機能する筐体５０の外側に配置された部品、例えば電子部品などに悪影響を及ぼすことを抑えることが出来る。
【００２３】
振動発電機１の組み立ての一例を説明する。第３永久磁石４１が固定された封止部１４が、筐体５０の底面に挿入される。次に、コイルユニット２０が円筒部材１０の外周面に設けられた状態で、円筒部材１０が筐体５０の内部に挿入され、円筒部材１０の端部１２が封止部１４に接して配置される。次に、可動子３０が、円筒部材１０の内部に配置される。次に、第３永久磁石４０が固定された封止部１３が筐体５０の内部に挿入され、円筒部材１０の端部１１に接して配置される。これにより、円筒部材１０の端部１１、１２は、一対の封止部１３、１４により封じられる。この時、コイルユニット２０の両端からの金属線は封止部１３の図示しない孔に挿入される。次に、コイルユニット２０の両端からの金属線が回路部６０に接続される。回路部６０は、整流回路と蓄電回路とを含む。整流回路は、可動子３０が円筒部材１０の内部を移動することにより発生する電流を整流する回路である。蓄電回路は整流回路により整流された電流から電力を蓄電する回路である。回路部６０の蓄電回路からの２本の導線は１本のケーブル７０にまとめられる。次に、コイルユニット２０の両端からの金属線が接続された回路部６０が、緩衝材として機能する回路保持部材６１を挟んで、筐体５０の内部に固定される。ケーブル７０が蓋５１の中央に形成された孔に挿通される。次に、ケーブル７０が孔に挿通された蓋５１が筐体５０に固定される。この蓋５１は、螺子螺合、または接着剤などの固定方法で筐体５０と固定される。携帯電話、電子書籍端末などの電子機器の差込口に差込可能な接続端子がケーブル７０の先端に設けられる。この接続端子から、電子機器に電力が供給される。
【００２４】
第２永久磁石３２、３３の磁力は第１永久磁石３１の磁力より弱い。以下、図２〜図５を参照して第１永久磁石３１、第２永久磁石３２、３３、および第３永久磁石４０、４１の磁束分布を説明する。図１に示すように振動発電機１は、円筒部材１０の軸心Ａｘに対し径方向Ｒに対称な構成であり、かつ第２永久磁石３２と第３永久磁石４０との各々が、第２永久磁石３３と第３永久磁石４１と同等な構成を有するので、図２〜図５に示すシミュレーションでは、第１永久磁石３１、第２永久磁石３３、および第３永久磁石４１の軸心Ａｘから径方向Ｒの構成をシミュレーション条件に設定した。
【００２５】
図２は、第１シミュレーションの構成において、同極が対向し、同じネオジム系の永久磁石から構成される２個の第１永久磁石３１ａ、および第３永久磁石４１ａの磁束分布を示す説明図である。この第１シミュレーションの構成は、従来の振動発電機に備えられる永久磁石の構成と同様な構成である。２個の第１永久磁石３１ａの長さＬ１は共に同じである。第３永久磁石４１ａの外径Ｄ３は第１永久磁石３１ａの外径Ｄ１よりも大きい。具体的には外径Ｄ３は１０ｍｍであり、外径Ｄ１は８ｍｍである。  
【００２６】
図３は、第２シミュレーションの構成において、第１永久磁石３１ａ、第２永久磁石３２ｂ、および第３永久磁石４１ａの磁束分布を示す説明図である。第２永久磁石３２ｂは第１永久磁石３１ａと同極が対向して配置される。第１永久磁石３１ａ、および第２永久磁石３２ｂは、同じネオジム系の永久磁石から構成されるが、第２永久磁石３２ｂの磁力は第１永久磁石３１ａの磁力よりも弱い。第２永久磁石３２ｂの長さＬ２は第１永久磁石３１ａの長さＬ１と同じである。具体的には、長さＬ１、および長さＬ２は８ｍｍである。第３永久磁石４１ａの外径Ｄ３は第２永久磁石３２ｂの外径Ｄ２よりも大きい。具体的には外径Ｄ３は１０ｍｍであり、外径Ｄ２は８ｍｍである。第３永久磁石４１ａの磁力は、第１永久磁石３１ａの磁力、および第２永久磁石３２ｂの磁力よりも弱い。
【００２７】
図２に示す第１シミュレーションの構成と図３に示す第２シミュレーションの構成とを比較すると、図２に示す第１永久磁石３１ａと第３永久磁石４１ａとの間の磁束密度よりも、図３に示す第２永久磁石３２ｂと第３永久磁石４１ａとの間の磁束密度が減少する。特に、図３に示す領域Ｒｅ１における磁束密度は図２に示す領域Ｒｅ１の磁束密度よりも、３５％減少する。この磁束密度の減少により、第１シミュレーションの構成よりも、第２シミュレーションの構成において、第１永久磁石３１ａが斥力により移動し難くなることが抑えられる。また、第２シミュレーションの構成のほうが、第１永久磁石３１ａの磁束は長手方向Ｄ１と交差する方向に向くので、第３永久磁石４１ａの着磁方向の反転が抑えられる。
【００２８】
図４は、第３シミュレーションの構成において、第１永久磁石３１ａ、第２永久磁石３２ｃ、および第３永久磁石４１ａの磁束分布を示す説明図である。第２永久磁石３２ｃは第１永久磁石３１ａと同極が対向して配置され、その磁石３２ｃの磁力が第１永久磁石３１ａの磁力よりも弱い。第２永久磁石３２ｃの長さＬ２は第１永久磁石３１ａの長さＬ１よりも短い。具体的には、長さＬ２は４ｍｍであり、長さＬ１は８ｍｍである。第１永久磁石３１ａ、および第２永久磁石３２ｃが同じネオジム系の永久磁石から構成される。第１永久磁石３１ａ、および第２永久磁石３２ｃが同じネオジム系の永久磁石から構成されても、第２永久磁石３２ｃの長さＬ２は第１永久磁石３１ａの長さＬ１よりも短いので、第２永久磁石３２ｃの磁力が第１永久磁石３１ａの磁力よりも弱くなる。第３永久磁石４１ａの外径Ｄ３は第２永久磁石３２ｃの外径Ｄ２よりも大きい。具体的には外径Ｄ３は１０ｍｍであり、外径Ｄ２は８ｍｍである。第２永久磁石３２ｃの磁力は、第２シミュレーションにおける第２永久磁石３２ｂの磁力と略同じである。第３永久磁石４１ａの磁力は、第１永久磁石３１ａの磁力、および第２永久磁石３２ｃの磁力よりも弱い。
【００２９】
図３に示す第２シミュレーションの構成と図４に示す第３シミュレーションの構成とを比較すると、第２シミュレーションの構成よりも、第３シミュレーションの構成のほうが、第２永久磁石３２ｃの長さＬ２が短くなった分だけ、長手方向Ｄ１において一定の可動領域を有する円筒部材１０の内部を移動出来る第１永久磁石３１ａの可動領域が広くなり、発電量が増加する。
【００３０】
図５は、第４シミュレーションの構成において、第１永久磁石３１ａ、第２永久磁石３２ｃ、および第３永久磁石４１ｄの磁束分布を示す説明図である。第１永久磁石３１ａ、および第２永久磁石３２ｃが同じネオジム系の永久磁石から構成される。第２永久磁石３２ｃは第１永久磁石３１ａと同極が対向して配置され、その磁石３２ｃの磁力が第１永久磁石３１ａの磁力よりも弱い。第２永久磁石３２ｃの長さＬ２は第１永久磁石３１ａの長さＬ１よりも短い。具体的には、長さＬ２は４ｍｍであり、長さＬ１は８ｍｍである。第３永久磁石４１ｄの外径Ｄ３は第２永久磁石３２ｃの外径Ｄ２よりも短い。具体的には外径Ｄ３は６ｍｍであり、外径Ｄ２は８ｍｍである。第３永久磁石４１ｄの磁力は、第１永久磁石３１ａの磁力、および第２永久磁石３２ｃの磁力よりも弱い。
【００３１】
図４に示す第３シミュレーションの構成と図５に示す第４シミュレーションの構成とを比較すると、第３シミュレーションの構成における第２永久磁石３２ｃと第３永久磁石４１ａとの間の磁束密度よりも、第４シミュレーションの構成における第２永久磁石３２ｃと第３永久磁石４１ｄとの間の磁束密度が疎になる。図２、および図３に示す領域Ｒｅ１における磁束密度の減少に加え、特に、図５に示す第１永久磁石３１ａと第２永久磁石３２ｃとの同極対向面から第３永久磁石４１ｄの端部４１０へ向かう領域Ｒｅ２における磁束密度は図４に示す領域Ｒｅ２の磁束密度よりも疎になる。この結果、第１永久磁石３１ａ、および第２永久磁石３２ｃを備える可動子の移動が長手方向に垂直な方向に対して安定する。具体的には、第１永久磁石３１ａと第２永久磁石３２ｃとの同極対向面と第３永久磁石４１ｄとの間の磁束密度が密になると、可動子３０に作用する長手方向Ｄ１に垂直な方向の力の成分が大きくなる。この垂直な方向の力の成分が大きくなると、第２永久磁石３２ｃは、長手方向Ｄ１に垂直な方向に移動しやすくなる。この結果、円筒部材１０との接触により、可動子３０の長手方向Ｄ１の移動が不安定になり、起電力が減少する。
【００３２】
［効果］
磁力が強い第１永久磁石３１の磁束は、第１永久磁石３１の磁力よりも磁力が弱い第２永久磁石３２、３３により、長手方向Ｄ１と交差する方向に向く。これにより、コイルユニット２０を横切る磁束密度が増加し、起電力が増加する。この起電力の増加と共に、第１永久磁石３１と第３永久磁石４０、４１との間に第２永久磁石３２、３３が配置されるので、第２永久磁石３２、３３を備えない振動発電機よりも、第１永久磁石３１に作用する斥力の大きさが弱くなる。斥力の大きさが弱くなることにより、第１永久磁石３１の移動が阻害されるのが抑えられる。従って、発電量の減少を抑えることが出来る。また、振動発電機１のサイズを小型化したときに、この発電量の減少はより抑えられる。
【００３３】
長手方向Ｄ１において、第２永久磁石３２、３３の長さＬ２は、第１永久磁石の長さＬ１よりも短い。これにより、長手方向Ｄ１に一定の長さを有する円筒部材１０の内部の第１永久磁石の可動領域が広くなる。第１永久磁石３１の可動領域が広くなったことにより、発電量を増加させることが出来る。
【００３４】
図１、および図５に示すように、第３永久磁石４０、４１の外径Ｄ３は、第２永久磁石３２、３３の外径Ｄ２よりも小さい。これにより、第１永久磁石３１と第２永久磁石３２、３３との同極対向面から第３永久磁石４０、４１の端部４１０へ向かう領域Ｒｅ２における磁束密度が疎になる。これにより、第１永久磁石３１、および第２永久磁石３２、３３を備える可動子３０の移動が長手方向Ｄ１に垂直な方向に対して安定する。従って、発電量が減少することが抑えられる。
【００３５】
［変形例１］
本実施形態では、コイルユニット２０は円筒部材１０の外周面に備えられたが、円筒部材１０の内周面に備えられてもよい。
【００３６】
［変形例２］
本実施形態では、可動子３０は１つ第１永久磁石３１を備えたが、複数の第１永久磁石３１を備えてもよい。可動子３０が複数の第１永久磁石３１を備える場合、第１永久磁石３１の各々は、同極が対向される。また、可動子３０は２つの第２永久磁石３２、３３を備えたが、可動子の一方の端部のみに１つの第２永久磁石を備えてもよい。可動子が１つの第２永久磁石を備える場合、第３永久磁石は、第１永久磁石に対し第２永久磁石が配置される側の円筒部材の端部に配置されればよい。
【００３７】
［変形例３］
本実施形態では、中空形状、且つ円筒形状の第１永久磁石３１、および第２永久磁石３２、３３が締結部材３４によりかしめ固定されたが、接着剤などにより接着して固定されてもよい。また、締結部材３４は、第１永久磁石３１、および第２永久磁石３２、３３に挿通されて、第１永久磁石３１、および第２永久磁石３２、３３を締結したが、これに限られない。締結部材は、第１永久磁石、および第２永久磁石の外周側から第１永久磁石、および第２永久磁石を締結してもよい。この場合、第１永久磁石、および第２永久磁石は中空形状を有さなくてもよい。
【００３８】
［変形例４］
本実施形態では、円筒部材１０は長手方向Ｄ１に直交する方向の断面の形状が円形であったが、これに限られない。円筒部材は長手方向に直交する方向の断面の形状が楕円形、または多角形などであってもよい。
【００３９】
［変形例５］
本実施形態では、コイルユニット２０は、３つのコイル２０Ａ、２０Ｂ、２０Ｃを備えるとしたが、コイルユニットは、コイルをいくつ備えてもよい。
【００４０】
［変形例６］
本実施形態では、第１永久磁石３１、第２永久磁石３２、３３、および第３永久磁石４０、４１は同じネオジム系の永久磁石であったが、これに限られない。第１永久磁石３１は、起電力を大きくするため、ネオジム系の永久磁石から構成されるのが、好ましい。第２永久磁石３２、３３は、その磁力が第１永久磁石３１の磁力よりも弱ければよく、フェライト系などの永久磁石でもよい。また、本実施形態では、第３永久磁石４０、４１は、第１永久磁石３１、および第２永久磁石３２、３３の磁力よりも弱いが、第１永久磁石３１、および第２永久磁石３２、３３の磁力よりも強くてもよく、第３永久磁石４０、４１は、ネオジム系の永久磁石に限らず、フェライト系などの永久磁石から構成されてもよい。ネオジム系の永久磁石はレアアースであるネオジムが含まれるので、レアアースが含まれないフェライト系の永久磁石よりも高価である。従って、フェライト系の永久磁石が、第２永久磁石３２、３３、および第３永久磁石４０、４１に用いられると、これらの永久磁石がネオジム系の永久磁石から構成されるよりも、コストがからからない。
【００４１】
［変形例６］
本実施形態に記載の図３に示した第２シミュレーションにおいて、第２永久磁石３２ｂは、ネオジム系の永久磁石から構成される第１永久磁石３１ａよりも弱い磁力を有するネオジム系の永久磁石から構成された。第２永久磁石３２ｂが、ネオジム系の永久磁石から構成される第１永久磁石３１ａよりも弱い磁力を有するフェライト系の永久磁石から構成されたとしても、第３永久磁石４１ａと第２永久磁石との間の磁束密度は減少する。
【符号の説明】
【００４２】
１                      振動発電機
１０                    円筒部材
１１、１２              端部
１３、１４              封止部
２０                    コイルユニット
２０Ａ、２０Ｂ、２０Ｃ  コイル
３０                    可動子
３１                    第１永久磁石
３２、３３              第２永久磁石
３４                    締結部材
４０、４１              第３永久磁石
５０                    筐体
６０                    回路部
Ａｘ                    軸心
Ｄ１                    長手方向
Ｒｅ１、Ｒｅ２          領域
Ｌ１                    第１永久磁石の長さ
Ｌ２                    第２永久磁石の長さ
Ｄ１                    第１永久磁石の外径
Ｄ２                    第２永久磁石の外径
Ｄ３                    第３永久磁石の外径
【図１】
2012205450.tif 000003
【図２】
2012205450.tif 000004
【図３】
2012205450.tif 000005
【図４】
2012205450.tif 000006
【図５】
2012205450.tif 000007